(57)【要約】【課題】  外部からの要求によって通常電力モードに移行した際に、要求された画像入出力処理に応じた操作画面に自動的に切り替えることができる複合機を提供する。【解決手段】  互いに異なる画像入出力処理に対応づけられた複数の操作画面を切り替え表示する表示部と、通常電力モード及び省電力モードのいずれかに動作モードを切り替えるモード制御部と、ユーザ操作を受け付ける操作部と、通信ネットワークを介して、画像入出力処理の実行を指示する要求信号を受け付ける要求信号受信部により構成される。モード制御部は、省電力モード時にユーザ操作及び要求信号のいずれかを受け付けた場合、通常電力モードへ切り替える。表示部は、省電力モード中に要求信号を受け付ければ、要求信号が指定する画像入出力処理に対応づけられた操作画面へ切り替える一方、通常電力モード中に要求信号を受け付けても、表示中の操作画面を切り替えない。【選択図】  図２
2012090014.tif 000002
【特許請求の範囲】
【請求項１】
互いに異なる画像入出力処理に対応づけられた２以上の操作画面を切り替え表示する表示部と、
通常電力モード、及び、上記表示部の消費電力を上記通常電力モードよりも低減させた省電力モードのいずれかに動作モードを切り替えるモード制御部と、
ユーザ操作を受け付ける操作部と、
通信ネットワークを介して、上記画像入出力処理のいずれかを指定し、上記画像入出力処理の実行を指示する要求信号を受け付ける要求信号受信部とを備え、
上記モード制御部は、上記省電力モード時に上記ユーザ操作及び上記要求信号のいずれかを受け付けた場合、上記動作モードを上記通常電力モードへ切り替え、上記通常電力モード時に上記ユーザ操作及び上記要求信号を受け付けることなく一定時間が経過した場合、上記動作モードを上記省電力モードへ切り替え、
上記表示部は、上記省電力モード中に上記要求信号を受け付ければ、上記要求信号が指定する上記画像入出力処理に対応づけられた上記操作画面へ切り替える一方、上記通常電力モード中に上記要求信号を受け付けても、表示中の上記操作画面を切り替えないことを特徴とする複合機。
【請求項２】
上記操作部は、上記表示部の画面上に形成された接触式センサからなり、上記表示部とともにタッチパネルを構成し、
上記操作画面には、操作ボタンのシンボルが含まれることを特徴とする請求項１に記載の複合機。
【請求項３】
上記操作画面には、上記操作ボタンとして、当該操作画面が対応づけられた画像入出力処理の実行を中止するための中止ボタンが設けられていることを特徴とする請求項２に記載の複合機。
【請求項４】
上記画像入出力処理は、画像データを紙媒体に印刷する印刷処理、画像データを外部へ送信するファクシミリ送信処理、及び、紙媒体から画像データを光学的に読み取るスキャン処理のうち、少なくとも２以上であることを特徴とする請求項１から３のいずれかに記載の複合機。
【発明の詳細な説明】
【技術分野】
【０００１】
本発明は、複合機に係り、さらに詳しくは、互いに異なる画像入出力処理に対応づけられた複数の操作画面を切り替え表示する複合機の改良に関する。
【背景技術】
【０００２】
ＬＡＮ（ローカルエリアネットワーク）を介して接続されたＰＣ（パーソナルコンピュータ）からの指示によって、ＰＣから受信した画像データを用紙に印刷するＰＣプリント機能を備えた複合機がある。また、ＰＣからの指示によって、ＰＣから受信した画像データを所定の転送先へＰＳＴＮ（公衆電話回線網）を介して送信するＰＣ−ＦＡＸ（ファクシミリ）送信機能を備えた複合機もある。
【０００３】
近年、この様な複合機に対して、より一層の省電力化が求められている。そこで、通常電力モードと、通常電力モード時に比べて消費電力を低減させた省電力モードとを切り替え可能とし、印刷処理などが終了してから一定時間が経過すれば、省電力モードに自動的に切り替える技術が提案されている（例えば、特許文献１及び２）。省電力モードでは、画像データを印刷する印刷部、画像データを外部へ送信するＦＡＸ送信部、動作状態を画面表示する表示部に対する電源供給が遮断される。また、省電力モード中に、ユーザ操作、ＰＣからの印刷要求などの所定のイベントを受け付ければ、動作モードは通常電力モードに切り替えられる。
【０００４】
従来の複合機では、通常電力モードに移行した際に、予め設定された処理モードの操作画面が表示される。例えば、通常電力モードへの移行時の処理モードとしてコピーモードが設定されていれば、通常電力モードへの移行時には、コピーモード用の操作画面が表示部に表示される。この場合、ＰＣからの印刷要求によって通常電力モードに切り替えられれば、ＰＣから指定された画像処理とは異なる処理モードの操作画面が表示されることになる。このため、ＰＣから指示された画像処理の実行を中止させるには、画像処理に応じた処理モードの操作画面に切り替えなければならず、操作性が良くないという問題があった。
【先行技術文献】
【特許文献】
【０００５】
【特許文献１】特開２００１−２８２３９８号公報
【特許文献２】特開２００８−２０５７１４号公報
【発明の概要】
【発明が解決しようとする課題】
【０００６】
本発明は、上記事情に鑑みてなされたものであり、外部からの要求信号によって通常電力モードに移行した際に、要求信号が指定する画像入出力処理に応じた操作画面に自動的に切り替えることができる複合機を提供することを目的とする。特に、通常電力モード時の利便性を損うことなく、外部からの要求信号に基づく通常電力モードへの移行時の利便性を向上させることができる複合機を提供することを目的とする。また、要求信号によって指示された画像入出力処理の実行を容易に中止させることができる複合機を提供することを目的とする。
【課題を解決するための手段】
【０００７】
第１の本発明による複合機は、互いに異なる画像入出力処理に対応づけられた２以上の操作画面を切り替え表示する表示部と、通常電力モード、及び、上記表示部の消費電力を上記通常電力モードよりも低減させた省電力モードのいずれかに動作モードを切り替えるモード制御部と、ユーザ操作を受け付ける操作部と、通信ネットワークを介して、上記画像入出力処理のいずれかを指定し、上記画像入出力処理の実行を指示する要求信号を受け付ける要求信号受信部とを備え、上記モード制御部が、上記省電力モード時に上記ユーザ操作及び上記要求信号のいずれかを受け付けた場合、上記動作モードを上記通常電力モードへ切り替え、上記通常電力モード時に上記ユーザ操作及び上記要求信号を受け付けることなく一定時間が経過した場合、上記動作モードを上記省電力モードへ切り替え、上記表示部が、上記省電力モード中に上記要求信号を受け付ければ、上記要求信号が指定する上記画像入出力処理に対応づけられた上記操作画面へ切り替える一方、上記通常電力モード中に上記要求信号を受け付けても、表示中の上記操作画面を切り替えないように構成される。
【０００８】
この複合機では、通常電力モード中に要求信号を受信しても表示中の操作画面を切り替えず、省電力モード中に要求信号を受信すれば、当該要求信号が指定する画像入出力処理に対応する操作画面に自動的に切り替えることができる。このため、省電力モード時に外部の端末装置から要求信号を送信すれば、当該要求信号により指定した画像入出力処理に応じた操作画面に自動的に切り替えられるので、要求信号に基づく通常電力モードへの移行時の利便性を向上させることができる。一方、通常電力モード時には、要求信号によって操作画面が切り替えられることはないので、複合機に対し操作しようとしているユーザの利便性を損うことはない。
【０００９】
第２の本発明による複合機は、上記構成に加え、上記操作部が、上記表示部の画面上に形成された接触式センサからなり、上記表示部とともにタッチパネルを構成し、上記操作画面には、操作ボタンのシンボルが含まれるように構成される。
【００１０】
一般に、タッチパネルの場合、操作画面を切り替えることにより、操作ボタンの表示だけでなく、操作ボタンの操作方法、操作内容などが変化することがある。このため、操作画面の不用意な切り替えを回避しつつ、省電力モード時の要求信号によって操作画面を自動的に切り替えることにより、利便性を大きく向上させることができる。
【００１１】
第３の本発明による複合機は、上記構成に加え、上記操作画面には、上記操作ボタンとして、当該操作画面が対応づけられた画像入出力処理の実行を中止するための中止ボタンが設けられているように構成される。
【００１２】
この様な構成によれば、省電力モード時の要求信号によって自動的に切り替えられた操作画面内の中止ボタンを操作することにより、要求信号によって指示された画像入出力処理の実行を中止することができる。このため、ユーザは、操作画面を切り替えることなく、外部の端末装置から要求された画像入出力処理の実行を中止させることができる。
【００１３】
第４の本発明による複合機は、上記構成に加え、上記画像入出力処理が、画像データを紙媒体に印刷する印刷処理、画像データを外部へ送信するファクシミリ送信処理、及び、紙媒体から画像データを光学的に読み取るスキャン処理のうち、少なくとも２以上であるように構成される。
【発明の効果】
【００１４】
本発明による複合機では、省電力モード時に外部の端末装置から要求信号を送信すれば、当該要求信号により指定した画像入出力処理に応じた操作画面に自動的に切り替えられるので、要求信号に基づく通常電力モードへの移行時の利便性を向上させることができる。一方、通常電力モード時には、要求信号によって操作画面が切り替えられることはないので、複合機に対し操作しようとしているユーザの利便性を損うことはない。従って、外部からの要求信号によって通常電力モードに移行した際に、要求信号が指定する画像入出力処理に応じた操作画面に自動的に切り替えることができ、通常電力モード時の利便性を損うことなく、外部からの要求信号に基づく通常電力モードへの移行時の利便性を向上させることができる。また、操作画面を切り替えることなく、要求された画像入出力処理の実行を中止させられるので、要求信号によって指示された画像入出力処理の実行を容易に中止させることができる。
【図面の簡単な説明】
【００１５】
【図１】本発明の実施の形態による複合機を含む画像処理システム１の一構成例を示したシステム図である。
【図２】図１の画像処理システム１におけるＭＦＰ１２の構成例を示したブロック図である。
【図３】図２のＭＦＰ１２の動作の一例を示した図であり、ＰＣ１１からの起動要求により通常電力モードに復帰した際に表示される操作画面４１，５１が示されている。
【図４】図２のＭＦＰ１２の動作の一例を示した図であり、ＰＣ１１からの起動要求により通常電力モードに復帰した際に表示される操作画面６１，７１が示されている。
【図５】図２のＭＦＰ１２の動作の一例を示したフローチャートである。
【発明を実施するための形態】
【００１６】
＜画像処理システム＞
図１は、本発明の実施の形態による複合機を含む画像処理システム１の一構成例を示したシステム図である。この画像処理システム１は、ＬＡＮ２を介して互いに接続されたＰＣ１１及びＭＦＰ１２からなり、ＰＣ１１の指示によってＭＦＰ１２が画像データの入力処理又は出力処理を実行する。
【００１７】
ＬＡＮ２は、所定のエリア内に配置された複数の電子機器間でデータを送受信するための通信ネットワークであり、イーサネット（Ethernet：登録商標）などの所定の通信制御方式によりデータの送受信が行われる。ＬＡＮ２を介して送受信されるデータは、所定の通信プロトコル、例えば、ＴＣＰ／ＩＰ（Transmission Control Protocol/Internet Protocol）に基づいてパケット化され、ＩＰパケットとして転送される。
【００１８】
ＰＣ１１は、表示部及び操作部を有する情報処理端末であり、文書データなどが作成される。ＭＦＰ（Multifunction Peripheral：複合機）１２は、スキャナ機能、プリンタ機能、ＦＡＸ送受信機能、複写機能などを有する通信端末であり、これらの機能を選択的に実行させることができる。
【００１９】
このＭＦＰ１２は、ＰＣプリント機能、ＰＣ−ＦＡＸ送信機能及びＰＣスキャン機能を有し、操作パネルには、動作状態を画面表示するためのディスプレイ１２１と、スタートキー、ストップキーなどの複数の操作キーからなる操作部１２２が配置されている。操作部１２２は、ユーザ操作を受け付ける入力手段であり、各操作キーは、キートップを押下することにより、オン又はオフする接点式スイッチにより構成される。
【００２０】
ディスプレイ１２１は、その表示画面上に接触式センサからなる操作部が形成され、当該操作部とともにタッチパネルを構成している。この接触式センサは、ユーザ操作を受け付け、その操作位置を示す検出信号を生成する入力手段であり、例えば、静電容量式のタッチパッドにより構成される。
【００２１】
ＰＣプリント機能とは、ＰＣ１１からの印刷要求に基づいて、画像データを所定の用紙（紙媒体）に印刷する画像出力機能のことである。また、ＰＣ−ＦＡＸ送信機能とは、ＰＣ１１からのＦＡＸ送信要求に基づいて、ＰＳＴＮ３を介して画像データを外部機器へ送信する画像出力機能のことである。ＰＣスキャン機能とは、ＰＣ１１からのスキャン要求に基づいて、原稿（紙媒体）から画像データを光学的に読み取り、読み取った画像データをＬＡＮ２を介して外部機器へ送信する画像入出力機能のことである。
【００２２】
このＭＦＰ１２では、「省エネキー」のような特定の操作キーを操作することにより、通常電力モードと、通常電力モード時に比べて消費電力を低減させた省電力モードとを切り替えることができる。省電力モードでは、少なくともディスプレイ１２１に対する電源供給が遮断される。従って、省電力モード時には、ディスプレイ１２１のバックライトは消灯し、画面表示は非表示となる。また、印刷処理などの画像データの入出力処理が終了してから一定時間が経過すれば、自動的に省電力モードに切り替えられる。
【００２３】
＜ＭＦＰ＞
図２は、図１の画像処理システム１におけるＭＦＰ１２の構成例を示したブロック図である。このＭＦＰ１２は、タイマー２４、操作部１２２、フロントエンド部１２３、デコード部１２４、印刷部１２５、ＦＡＸ送信部１２６、光学読取部１２７、エンコード部１２８、画面データ記憶部１２９、表示制御部１３０及びタッチパネル１３１により構成される。
【００２４】
フロントエンド部１２３は、パケット送受信部２１、要求信号受信部２２及びモード制御部２３からなるネットワーク通信部である。パケット送受信部２１は、ＬＡＮ２に接続され、パケットデータの送信処理及び受信処理を行う。要求信号受信部２２は、受信したパケットデータを監視し、ＰＣ１１からの要求信号を受け付ける。
【００２５】
この要求信号は、選択可能な画像入出力処理として予め定められている複数の画像入出力処理のいずれかを指定し、その実行をＭＦＰ１２に対して指示する起動要求である。選択可能な画像入出力処理としては、印刷処理、ＦＡＸ送信処理及びスキャン処理があり、ＰＣ１１から印刷要求、ＦＡＸ送信要求又はスキャン要求を送信することにより、これらの画像入出力処理を選択的に実行させることができる。
【００２６】
モード制御部２３は、通常電力モードと、ＭＦＰ１２の消費電力を通常電力モードよりも低減させた省電力モードとのいずれかに動作モードを切り替える。デコード部１２４は、受信したパケットデータをデコードすることにより、所定のデータ形式からなる出力データを生成するデータ復号手段である。
【００２７】
印刷部１２５は、画像データを所定の用紙に印刷する画像出力処理部である。この印刷部１２５は、ＰＣプリント機能として、ＰＣ１１からの印刷要求によって印刷処理を実行する。すなわち、ＰＣ１１から印刷要求を受け付ければ、ＰＣ１１から転送され、デコード部１２４によりデコードされた画像データが用紙に印刷される。
【００２８】
ＦＡＸ送信部１２６は、ＰＳＴＮ３を介して画像データを外部機器へ送信する画像出力処理部である。このＦＡＸ送信部１２６は、ＰＣ−ＦＡＸ送信機能として、ＰＣ１１からのＦＡＸ送信要求によってＦＡＸ送信処理を実行する。すなわち、ＰＣ１１からＦＡＸ送信要求を受け付ければ、ＰＣ１１から転送され、デコード部１２４によりデコードされた画像データが、ＦＡＸ送信要求により指定された転送先へＰＳＴＮ３を介して送信される。
【００２９】
光学読取部１２７は、原稿から画像データを光学的に読み取る画像入力処理部である。この光学読取部１２７は、ＰＣスキャン機能として、ＰＣ１１からのスキャン要求によってスキャン処理を実行する。すなわち、ＰＣ１１からスキャン要求を受け付ければ、原稿の光学読取を実行し、画像データが生成される。
【００３０】
エンコード部１２８は、光学読取部１２７により読み取られた画像データをエンコードすることによりパケット化し、所定のデータ形式からなるパケットデータを生成してパケット送受信部２１へ出力するデータ符号化手段である。パケット送受信部２１では、ＰＣ１１からのスキャン要求に基づいて、当該スキャン要求が指定する転送先へＬＡＮ２を介してパケットデータが送信される。
【００３１】
フロントエンド部１２３には、常時、電源供給されるのに対し、デコード部１２４、印刷部１２５、ＦＡＸ送信部１２６、光学読取部１２７、エンコード部１２８、表示制御部１３０及びタッチパネル１３１には、遮断用ＳＷ（スイッチ）を介して、電源供給される。
【００３２】
モード制御部２３では、操作部１２２からの入力信号、タイマー２４からのタイムアップ信号、及び、要求信号受信部２２の出力に基づいて、動作モードを通常電力モード及び省電力モード間で切り替えるためのＳＷ制御信号が生成される。省電力モードでは、遮断用ＳＷをオン又はオフすることにより、デコード部１２４、印刷部１２５、ＦＡＸ送信部１２６、光学読取部１２７、エンコード部１２８、表示制御部１３０及びタッチパネル１３１に対する電源供給が遮断される。
【００３３】
通常電力モード中に、「省エネキー」を操作することにより、強制的に省電力モードに切り替えることができるとともに、省電力モード中に、「省エネキー」を操作すれば、通常電力モードに復帰させることができる。
【００３４】
タイマー２４は、印刷処理などの画像入出力処理が終了してから、ユーザ操作及び要求信号を受け付けることなく一定時間が経過すればタイムアップし、タイムアップ信号を出力する経過時間の計測手段である。印刷処理などの画像入出力処理の終了後、ユーザ操作及びＰＣ１１からの起動要求を受け付けることなく、一定時間が経過すれば、タイマー２４がタイムアップし、動作モードが自動的に省電力モードに切り替えられる。
【００３５】
モード制御部２３では、省電力モード中に、要求信号受信部２２がＰＣ１１からの印刷要求、ＦＡＸ送信要求又はスキャン要求のいずれかの起動要求を受信すれば、当該起動要求に基づいて、通常電力モードに切り替える動作が行われる。
【００３６】
また、ＰＣ１１からの起動要求によって通常電力モードへ切り替える場合、デコード部１２４、印刷部１２５、ＦＡＸ送信部１２６、光学読取部１２７又はエンコード部１２８のいずれかと、表示制御部１３０及びタッチパネル１３１とに対し、省電力モードが解除され、動作モードが通常電力モードに移行する。すなわち、この場合、ＰＣ１１からの起動要求が指定する画像処理部と表示部（表示制御部１３０及びタッチパネル１３１）とだけが通常電力モードになり、他の画像処理部は省電力モードのままである。
【００３７】
具体的には、ＰＣ１１から印刷要求を受け付ければ、デコード部１２４、印刷部１２５、表示制御部１３０及びタッチパネル１３１だけが通常電力モードになる。また、ＦＡＸ送信要求を受け付けた場合には、デコード部１２４、ＦＡＸ送信部１２６、表示制御部１３０及びタッチパネル１３１だけが通常電力モードになる。また、スキャン要求を受け付けた場合には、光学読取部１２７、エンコード部１２８、表示制御部１３０及びタッチパネル１３１だけが通常電力モードになる。
【００３８】
一方、操作キーの操作によって通常電力モードへ切り替える場合には、デコード部１２４、印刷部１２５、ＦＡＸ送信部１２６、光学読取部１２７、エンコード部１２８、表示制御部１３０及びタッチパネル１３１に対して省電力モードが解除される。つまり、ＰＣ１１からの起動要求に基づいて通常電力モードに復帰させる場合には、要求された画像入出力処理に必要な画像処理部と表示部だけを復帰させることにより、当該画像入出力処理の実行時の消費電力を抑制することができる。
【００３９】
なお、ここでは、ＰＣ１１からの起動要求に基づいて通常電力モードに復帰させた場合、要求された画像入出力処理が終了すれば、タイマー２４のタイムアップを待つことなく、省電力モードに切り替えられるものとする。
【００４０】
タッチパネル１３１は、ディスプレイ１２１及び操作部１３２により構成される。操作部１３２は、ディスプレイ１２１の表示画面上に形成された接触式センサからなり、通常電力モード時に、ユーザ操作を受け付ける。省電力モード時には、ディスプレイ１２１のバックライトは消灯し、画面表示は非表示となる。
【００４１】
表示制御部１３０は、ディスプレイ１２１を制御し、互いに異なる画像入出力処理に対応づけられた複数の操作画面を切り替え表示する。例えば、印刷処理、ＦＡＸ送信処理、スキャン処理及びコピー処理のそれぞれに対応付けられた４つの操作画面が切り替え表示される。
【００４２】
この表示制御部１３０は、省電力モード中にＰＣ１１からの要求信号を受け付ければ、要求信号が指定する画像入出力処理に対応づけられた操作画面へ切り替える。つまり、ＰＣ１１から起動要求があれば、当該起動要求によって指定された画像入出力処理に対応付けられた操作画面がディスプレイ１２１上に表示される。一方、表示制御部１３０は、通常電力モード中に要求信号を受け付けても、表示中の操作画面を切り替えない。
【００４３】
ＰＣ１１からの起動要求に基づく通常電力モードへの移行時には、当該起動要求が指定する画像入出力処理に対応付けられた操作画面が表示される。この操作画面は、対応付けられた画像入出力処理の種類、画像入出力処理の要求元の識別情報、画像データの識別情報などをユーザに報知するための報知画面であり、要求された画像入出力処理の実行を中止させるための中止ボタンが配置される。
【００４４】
画面データ記憶部１２９には、中止ボタンが配置された操作画面を表示するための画面データ３１が保持されている。画面データ３１は、印刷処理、ＦＡＸ送信処理、スキャン処理及びコピー処理の各画像入出力処理ごとに予め作成される。
【００４５】
例えば、印刷処理に対応する操作画面には、実行中の印刷処理を中止させるための中止ボタンのシンボルが操作対象アイコンとして配置される。また、ＦＡＸ送信処理に対応する操作画面には、実行中のＦＡＸ送信処理を中止させるための中止ボタンのシンボルが操作対象アイコンとして配置される。また、スキャン処理に対応する操作画面には、実行中のスキャン処理を中止させるための中止ボタンのシンボルが操作対象アイコンとして配置される。なお、コピー処理（複写処理）は、原稿から画像データを光学的に読み取り、得られた画像データを用紙に印刷する一連の処理からなる。
【００４６】
印刷部１２５、ＦＡＸ送信部１２６及び光学読取部１２７は、いずれも操作部１３２からの検出信号に基づいて、実行中の画像入出力処理を中止する。例えば、印刷処理の実行中に操作画面内の中止ボタンを操作すれば、印刷処理が強制終了される。
【００４７】
＜操作画面＞
図３及び図４は、図２のＭＦＰ１２の動作の一例を示した図であり、ＰＣ１１からの起動要求により通常電力モードに復帰した際に表示される操作画面４１，５１，６１，７１が示されている。図３の（ａ）には、ＰＣプリント時に表示される操作画面４１が示され、（ｂ）には、セキュリティプリント時に表示される操作画面５１が示されている。
【００４８】
ＰＣ１１から印刷要求があった場合、当該印刷要求に基づいて、通常電力モードに復帰し、印刷処理が実行されるとともに、対応する操作画面４１がディスプレイ１２１上に表示される。この操作画面４１には、実行中の印刷処理を中止するための中止ボタン４２と、印刷要求の依頼元の識別情報、画像データの識別情報、印刷処理が実行中であることを示すメッセージなどが表示される。
【００４９】
具体的には、依頼元の識別情報として、ユーザ名「ＡＢＣ」が表示され、印刷対象の画像データの識別情報として、文書名「ａｂｃ」が表示されている。操作画面４１の表示中に、中止ボタン４２を操作すれば、印刷処理を終了させることができる。
【００５０】
本実施の形態によるＭＦＰ１２は、ＰＣプリントの一機能としてのセキュリティプリントにも対応している。セキュリティプリントとは、ユーザ認証に成功した場合にだけ印刷を許可することにより、秘匿性を高めた画像出力処理のことである。ＰＣ１１からの印刷要求として、セキュリティプリントが要求された場合には、認証情報の入力欄５２が配置された操作画面５１が表示される。
【００５１】
この操作画面５１には、処理を中止するための中止ボタン５３と、認証情報、例えば、パスワードの入力欄５２が配置され、印刷要求の依頼元の識別情報、ユーザ認証待ちであることを示すメッセージなどが表示される。操作画面５１の表示中に、中止ボタン５３を操作すれば、処理を終了させることができる。
【００５２】
ユーザ認証は、入力欄５２に入力された入力情報と、予め保持されている登録情報とを照合することにより行われ、ユーザ認証に成功すれば、印刷処理が実行されるとともに、印刷処理が実行中であることを示す実行画面５４に画面表示が切り替えられる。
【００５３】
実行画面５４には、実行中の印刷処理を中止するための中止ボタン５５と、印刷要求の依頼元の識別情報、画像データの識別情報、印刷処理が実行中であることを示すメッセージなどが表示される。実行画面５４の表示中に、中止ボタン５５を操作すれば、実行中の印刷処理を終了させることができる。
【００５４】
図４の（ａ）には、ＰＣ−ＦＡＸ送信時に表示される操作画面６１が示され、（ｂ）には、ＰＣスキャン時に表示される操作画面７１が示されている。ＰＣ１１からＦＡＸ送信要求があった場合、当該ＦＡＸ送信要求に基づいて、通常電力モードに復帰し、ＦＡＸ送信処理が実行されるとともに、対応する操作画面６１がディスプレイ１２１上に表示される。
【００５５】
この操作画面６１には、実行中のＦＡＸ送信処理を中止するための中止ボタン６２と、ＦＡＸ送信要求の依頼元の識別情報、画像データの識別情報、転送先の識別情報、ＦＡＸ送信処理が実行中であることを示すメッセージなどが表示される。
【００５６】
この例では、転送先の識別情報として、ＦＡＸ送信要求によって指定された転送先のＦＡＸ電話番号が表示されている。操作画面６１の表示中に、中止ボタン６２を操作すれば、ＦＡＸ送信処理を終了させることができる。
【００５７】
ＰＣ１１からスキャン要求があった場合には、当該スキャン要求に基づいて、通常電力モードに復帰し、原稿の光学読取処理が実行されるとともに、対応する操作画面７１がディスプレイ１２１上に表示される。
【００５８】
この操作画面７１には、実行中の光学読取処理を中止するための中止ボタン７２と、スキャン要求の依頼元の識別情報、画像データの識別情報、光学読取処理が実行中であることを示すメッセージなどが表示される。
【００５９】
光学読取処理が終了すれば、スキャン要求の依頼元へ読取画像を転送する送信処理が実行されるとともに、当該送信処理が実行中であることを示す実行画面７３に画面表示が切り替えられる。操作画面７１の表示中に、中止ボタン７２を操作すれば、光学読取処理を終了させることができる。
【００６０】
実行画面７３には、実行中の送信処理を中止するための中止ボタン７４と、スキャン要求の依頼元の識別情報、画像データの識別情報、送信処理が実行中であることを示すメッセージなどが表示される。実行画面７３の表示中に、中止ボタン７４を操作すれば、実行中の送信処理を終了させることができる。
【００６１】
図５のステップＳ１０１〜Ｓ１１０は、図２のＭＦＰ１２の動作の一例を示したフローチャートである。まず、要求信号受信部２２は、ＬＡＮ２を介して受信するＩＰパケットを監視し、受信したＩＰパケットがＰＣ１１からの起動要求であれば、モード制御部２３に指示して遮断ＳＷをオン又はオフさせることにより、通常電力モードに復帰させる（ステップＳ１０１〜Ｓ１０３）。
【００６２】
このとき、起動要求としてＰＣ１１から指示された画像入出力処理（ジョブ）の種類が判別され、ジョブ内容に応じた画像処理部と表示部とが通常電力モードに切り替えられる（ステップＳ１０４）。
【００６３】
次に、表示制御部１３０は、ジョブ内容に応じた操作画面をディスプレイ１２１上に表示し、ジョブに対応する画像処理部では画像入出力処理が実行される（ステップＳ１０５，Ｓ１０６）。
【００６４】
例えば、ＰＣ１１から印刷処理の実行が指示されれば、デコード部１２４、印刷部１２５、表示制御部１３０及びタッチパネル１３１が通常電力モードに切り替えられる。そして、印刷処理を中止するための中止ボタンが配置された操作画面が表示され、画像データの印刷処理が実行される。
【００６５】
ジョブに対応する画像処理部は、画像入出力処理の実行中に、操作画面内の中止ボタンが操作されれば、画像入出力処理を中止する（ステップＳ１０７，Ｓ１０８）。ステップＳ１０６からステップＳ１０８の処理手順は、画像入出力処理又は画像入出力処理の中断処理が完了するまで繰り返され（ステップＳ１０９）、画像入出力処理又は中断処理が完了すれば、モード制御部２３は、省電力モードに切り替え、この処理を終了する（ステップＳ１１０）。
【００６６】
本実施の形態によれば、通常電力モード中に要求信号を受信しても表示中の操作画面を切り替えず、省電力モード中に要求信号を受信すれば、当該要求信号が指定する画像入出力処理に対応する操作画面に自動的に切り替えることができる。このため、省電力モード時にＰＣ１１から要求信号を送信すれば、当該要求信号により指定した画像入出力処理に応じた操作画面に自動的に切り替えられるので、要求信号に基づく通常電力モードへの移行時の利便性を向上させることができる。一方、通常電力モード時には、要求信号によって操作画面が切り替えられることはないので、ＭＦＰ１２に対し操作しようとしているユーザの利便性を損うことはない。
【００６７】
また、操作画面の不用意な切り替えを回避しつつ、省電力モード時の要求信号によって操作画面を自動的に切り替えることにより、利便性を大きく向上させることができる。さらに、省電力モード時の要求信号によって自動的に切り替えられた操作画面内の中止ボタンを操作することにより、要求信号によって指示された画像入出力処理の実行を中止することができる。このため、ユーザは、操作画面を切り替えることなく、ＰＣ１１から要求された画像入出力処理の実行を中止させることができる。
【００６８】
なお、本実施の形態では、ＭＦＰ１２とＰＣ１１とがＬＡＮ２を介して接続され、ＭＦＰ１２がＰＣ１１からの要求信号をＬＡＮ２経由で受け付ける場合の例について説明したが、本発明はその様な構成に限られるものではない。例えば、インターネット又はＷＡＮ（ワイドエリアネットワーク）を介して外部の端末装置から要求信号を受信するような構成であっても良い。
【００６９】
また、本実施の形態では、タッチパネル１３１を用いて操作画面内の中止ボタンの操作が検出される場合の例について説明したが、本発明はその様な構成に限られるものではない。例えば、操作部１２２の所定の操作キーに対応付けて、操作画面内にその機能割り当てとして中止ボタンのシンボルを表示し、操作画面の表示中に、当該操作キーを操作すれば、画像処理部が実行中の画像入出力処理を中止するような構成であっても良い。
【符号の説明】
【００７０】
１  画像処理システム
２  ＬＡＮ
３  ＰＳＴＮ
１１  ＰＣ
１２  ＭＦＰ
１２１  ディスプレイ
１２２  操作部
１２３  フロントエンド部
１２４  デコード部
１２５  印刷部
１２６  ＦＡＸ送信部
１２７  光学読取部
１２８  エンコード部
１２９  画面データ記憶部
１３０  表示制御部
１３１  タッチパネル
１３２  操作部
２１  パケット送受信部
２２  要求信号受信部
２３  モード制御部
２４  タイマー
３１  画面データ
４１，５１，６１，７１  操作画面
４２，５３，５５，６２，７２，７４  中止ボタン
【図１】
2012090014.tif 000003
【図２】
2012090014.tif 000004
【図３】
2012090014.tif 000005
【図４】
2012090014.tif 000006
【図５】
2012090014.tif 000007